(57)【要約】【課題】転倒している乗客を確実に検出するとともに他の乗客に危険が生じることを防止することのできる乗客コンベアの提供。【解決手段】無端状に連結され乗降口間を移動する複数のステップと、前記ステップの両側に設けられる欄干と、ステップを駆動する駆動装置と、乗降口の床板５に設けられた櫛板６とを有してなる乗客コンベアにおいて、櫛板６付近に、この櫛板６の上方２０〜４０ｍｍを横切るようにレーザ１４Aを照射するセンサ１４を設け、このセンサ１４が所定時間連続して異物を検出した時、警報を発するようにしたものである。【選択図】図３
2011225344.tif 000002
【特許請求の範囲】
【請求項１】
無端状に連結され乗降口間を移動する複数のステップと、前記ステップの両側に設けられる欄干と、前記ステップを駆動する駆動装置と、前記乗降口の床板に設けられた櫛板とを有してなる乗客コンベアにおいて、
前記櫛板付近に、この櫛板の上方２０〜４０ｍｍを横切るようにレーザを照射するセンサを設け、このセンサが所定時間連続して異物を検出した時、警報を発するようにしたことを特徴とする乗客コンベア。
【発明の詳細な説明】
【技術分野】
【０００１】
本発明は、エスカレーター等の降口側で、転倒した乗客を検出し安全を図る乗客コンベアに関する。
【背景技術】
【０００２】
乗客コンベアであるエスカレーターや動く歩道は、無端状に連結されたステップを設けるとともに、ステップの左右両側に移動手摺りを支持する欄干を立設させ、前記ステップと移動手摺りとの同期移動により、乗り口と降り口との間で乗客を搬送する。
【０００３】
最近、高齢化に伴い、何らかの異常を抱えた乗客がステップ上で失神し、転倒した状態で降口まで移動し、そのままの状態が長時間放置されていたという事例が生じている。このような状態を検知する手段として、ステップの上に乗っている乗客のロングスカートや子供の運動靴等が櫛板とステップの間に挟み込まれたりすることを、櫛板直近に設けられたセンサで検出し、乗客コンベアの運転を停止させる案を用いることができる（例えば、特許文献１参照）。
【先行技術文献】
【特許文献】
【０００４】
【特許文献１】特開平０９−２７８３３７号公報（段落番号０００９〜００１２、図１）
【発明の概要】
【発明が解決しようとする課題】
【０００５】
しかしながら、前述した従来例では、確かに転倒している乗客を検出できるが、櫛板直近で発光素子を用いて検出しているため、ビームが広がり、ステップ上にあるタバコの吸殻や小石或いは硬貨等を検出してしまい、その都度、乗客コンベアを急停止し、運転効率の低下を招くとともに、乗っている乗客に多大の危険を与える可能性があった。特に、下降運転の場合、ハンドレールを把握していない乗客がいる状況で急停止が行われると、大きな事故に発展する恐れがあった。
【０００６】
本発明は、前述した従来技術における実状からなされたもので、その目的は、転倒している乗客を確実に検出するとともに他の乗客に危険が生じることを防止することのできる乗客コンベアを提供することにある。
【課題を解決するための手段】
【０００７】
前記目的を達成するために、本発明は、無端状に連結され乗降口間を移動する複数のステップと、前記ステップの両側に設けられる欄干と、前記ステップを駆動する駆動装置と、前記乗降口の床板に設けられた櫛板とを有してなる乗客コンベアにおいて、前記櫛板付近に、この櫛板の上方２０〜４０ｍｍを横切るようにレーザを照射するセンサを設け、このセンサが所定時間連続して異物を検出した時、警報を発するようにしたことを特徴としている。
【０００８】
このように構成した本発明では、櫛板の上方２０〜４０ｍｍを横切るようにレーザを照射するセンサを設け、このセンサが所定時間連続して異物、すなわち、転倒者を検出した時、警報を発する。このように、レーザで転倒者を検出することにより、従来の発光素子のもののようにビームが広がることがなく、正確に転倒者を検出することができる。また、レーザの照射範囲を櫛板の上方２０〜４０ｍｍとしたのは、２０ｍｍ以下では、ステップ上にあるタバコの吸殻や小石或いは硬貨等を検出し誤動作が生じるため、４０ｍｍ以上では、転倒者の腕や足など身体の細い部分を検出できないためである。これによって、ステップ上にあるタバコの吸殻や小石或いは硬貨等を検出することがなく、いたずらに警報を発することがないとともに、確実に転倒者を検出して迅速な対応をとることができる。また、転倒者を検出した時に乗客コンベアを急停止するのではなく、警報を発するようにすることで、他の乗客の転倒を招く状況を回避することもできる。
【発明の効果】
【０００９】
本発明によれば、櫛板の上方２０〜４０ｍｍを横切るようにレーザを照射するセンサを設け、このセンサが所定時間連続して転倒者を検出した時警報を発するため、ステップ上にあるタバコの吸殻や小石或いは硬貨等を検出することがなく、いたずらに警報を発することがないとともに、確実に転倒者を検出して迅速な対応をとることができる。また、レーザで転倒者を検出することにより、従来の発光素子のもののようにビームが広がることがなく、正確に転倒者を検出することができる。また、転倒者を検出した時に乗客コンベアを急停止するのではなく、警報を発するようにすることで、他の乗客の転倒を招く状況を回避することもできる。
【図面の簡単な説明】
【００１０】
【図１】本発明に係る乗客コンベアの一実施形態を示す欄干部分の側面図である。
【図２】上部乗降口部分の平面図である。
【図３】上部乗降口の要部拡大図である。
【発明を実施するための形態】
【００１１】
以下、本発明に係る乗客コンベアの実施例を図に基づき説明する。
【００１２】
乗客コンベアであるエスカレーターや動く歩道は、無端状に連結された複数のステップ１を設けるとともに、これらのステップ１の左右両側に移動手摺２を支持する欄干３を立設させ、ステップ１と移動手摺２との同期移動により、乗り口床板４と降り口床板５との間で乗客を搬送する。乗り口床板４と降り口床板５には、ステップ１の上面に設けられた凸部（図示せず）と噛み合う櫛板６が設けられている（乗り口床板４の櫛板は図示省略）。また、ステップ１を無端状に連結するチェーン７は、スプロケット８、９に巻き掛けられている。さらに、降り口床板５の下部にはモータ１０および減速機１１を有してなる駆動装置１２が設けられており、駆動チェーン１３を介してスプロケット９を駆動し、チェーン７およびステップ１を駆動するようになっている。
【００１３】
そして、本実施例の乗客コンベアは、降り口床板５に設けられた櫛板６の上方２０〜４０ｍｍ（H）を横切るようにレーザ１４Ａを照射するセンサ１４を備えており、このセンサ１４が乗客を所定時間、例えば数秒間連続して検出すると信号を発信し、欄干２の外側に設けられたブザー等の警報装置１５を鳴動するようになっている。
【００１４】
今、乗客が何らかの理由でステップ１上で転倒し、降り口床板５に設けられた櫛板６まで運ばれてくると、レーザ１４Ａを遮断する。そして、このレーザ１４Ａが数秒間連続して遮断されると、センサ１４は検出信号を発信する。これに応じてブザー等の警報装置１５が鳴動し、付近にいる人や乗客に転倒者が報知され、救出対応がなされる。
【００１５】
本実施形態によれば、櫛板の上方２０〜４０ｍｍを横切るようにレーザ１４Ａを照射するセンサ１４を設け、このセンサ１４が所定時間連続して転倒者を検出した時に警報を発するため、ステップ１上にあるタバコの吸殻や小石或いは硬貨等を検出することがなく、いたずらに警報を発することがないとともに、確実に転倒者を検出して迅速な対応をとることができる。また、レーザで転倒者を検出することにより、従来の発光素子のもののようにビームが広がることがなく、正確に転倒者を検出することができる。また、転倒者を検出した時に乗客コンベアを急停止するのではなく、警報を発するようにすることで、他の乗客の転倒を招く状況を回避することもできる。
【符号の説明】
【００１６】
１  ステップ
２  移動手摺
３  欄干
４  乗り口床板
５  降り口床板
６  櫛板
１２  駆動装置
１４  センサ
１４Ａ  レーザ
１５  警報装置
【図１】
2011225344.tif 000003
【図２】
2011225344.tif 000004
【図３】
2011225344.tif 000005